(57)【要約】【課題】モール部材を壁面に掛け止めることにより取り付けられるようにして、作業の統一性を維持し易くし、施工の均一性を確保し、強度の経年変化による影響を低くし、施工後の長期安定性が得られて信頼性が高くなる装飾建材の施工方法を提供することを課題とする。【解決手段】鍔部を建築物の壁面に固着し、上記鍔部から外方に突出する突出部に上端縁が上方に突出した爪部を形成した係止材と、この係止材の側面断面に合わせて形成した側面断面を有する嵌合部を背面側に設けて上記係止材と係合可能に形成したモール部材とを用意し、上記モール部材の背面側に形成した嵌合部を上記係止材に嵌め込み、上記モール部材の嵌合部に上記係止材の突出部を挿入して爪部を掛け止め、上記モール部材の背面を上記壁面に押圧して、上記モール部材を上記係止材に掛け止めるとともに上記モール部材の背面を上記壁面に接着するように構成する。【選択図】        図１
2007284967.tif 000002
【特許請求の範囲】
【請求項１】
鍔部を建築物の壁面に固着し、上記鍔部から外方に突出する突出部に上端縁が上方に突出した爪部を形成した係止材と、この係止材の側面断面に合わせて形成した側面断面を有する嵌合部を背面側に設けて上記係止材と係合可能に形成したモール部材とを用意し、上記モール部材の背面側に形成した嵌合部を上記係止材に嵌め込み、上記モール部材の嵌合部に上記係止材の突出部を挿入して爪部を掛け止め、上記モール部材の背面を上記壁面に押圧して、上記モール部材を上記係止材に掛け止めるとともに上記モール部材の背面を上記壁面に接着することを特徴とする装飾建材の施工方法。
【請求項２】
背面を建築物の壁面に合わせた形状に成形したモール部材と、先端部を上記建築物の壁面に対して斜め下方に向けて打込み上半分を斜め上方に突出させた細棒状係止材とを用意し、上記モール部材の背面に接着剤を塗布しあるいは両面テープを張り付けて接着性を付与し、その接着性を付与した背面を上記細棒状係止材を突出した壁面に向けるとともに斜め下方に向けて押し込むことにより、上記モール部材の背面側に上記細棒状係止材を突き刺し、上記細棒状係止材の傾斜角に従い斜め下方に押し下げて、上記モール部材を上記細棒状係止材に掛け止めるとともに上記モール部材の背面を上記壁面に接着することを特徴とする装飾建材の施工方法。
【請求項３】
背面を建築物の壁面に合わせた形状に成形したモール部材と、このモール部材に突き刺す細棒状または薄板状の係止材とこの係止材の基部に上記建築物の壁面に取り付けるための座とを設けた座付き係止材とを用意し、上記モール部材の背面に接着剤を塗布しあるいは両面テープを張り付けて接着性を付与し、その接着性を付与した背面を上記座付き係止材の細棒状または薄板状の係止材を突出した壁面に向けて押し込むことにより、上記モール部材の背面側に上記細棒状または薄板状の係止材を突き刺し、上記モール部材を上記細棒状または薄板状の係止材に掛け止めるとともに上記モール部材の背面を上記壁面に接着することを特徴とする装飾建材の施工方法。
【発明の詳細な説明】
【技術分野】
【０００１】
本発明は建築物の内装又は外装に用いられる装飾建材を建築時に耐久性のある施工を効率良く実施するための装飾建材の施工方法に関する。
【背景技術】
【０００２】
建築用装飾材は、化粧銅差、化粧付柱、化粧カバー、化粧モール等の表面側に化粧あるいは装飾を施した建築部材（以下、装飾建材という）を、構造材としてではなく、もっぱら装飾の目的で取り付けることが行われている。
この装飾建材は装飾のためだけに用いられるものなので、その取付けは、軽量な装飾建材を作業性良く、簡便に施工できて、工期が短くでき、作業者の熟練を必要とせず、コストが安くできるほど望ましい。
【０００３】
このような装飾建材を施工する具体的な例としては、例えば、予め所定形状に形成された発泡体の表面にガラス繊維製布を被覆し、その上に水系塗料を施したものを建物の内外壁あるいは柱に接着して装飾建材を設けたもの（特許文献１）。
用意された装飾建材を建物の壁面に桟木を取り付け、その桟木の下辺に取付金具の上辺を接して取付金具を取り付け、桟木の切欠きと装飾建材の引掛けリブとを引掛け、その後、金具の係止部と装飾建材の嵌合いリブとを嵌め込むもの（特許文献２）。
【０００４】
壁面に所定形状の取付具を所定の間隔、レベル、向き等を同じにして所定数、平板部を壁面に当接して釘や螺子等の固定具により固定し、壁面に固定された取付具の上端に装飾建材の上係止溝を嵌め込み、装飾建材を下方に向けて引き下げて取付具の上部を曲げ、装飾建材の下係止溝に取付具の下端を嵌込可能な位置にして、装飾建材の下端部を壁面側に押し付けてから押し下げ方向の力を緩めると、取付具の湾曲箇所が元に復帰して、装飾建材の上下に設けられた係止溝（嵌合部）に取付具の上下端部を嵌合して、壁面に装飾建材を取り付けた状態にするもの（特許文献３）。
【０００５】
釘やねじ等の固定具により支持された取付部品の上端部と下端部とに装飾建材の壁面側の上端部と下端部とをそれぞれ嵌め合い、壁側に装飾建材を取り付ける。取付部品の上端部は上下両面が平坦に形成され、下端部は断面が魚の骨またはクリスマスツリーに似た形状に形成され、その相互に重なり合った複数の傾斜面は自由状態の位置から弾性的に内側へ押すことが可能に形成されているもの（特許文献４）、などがある。
【０００６】
【特許文献１】特許第３３９０９６４号公報
【特許文献２】特許第２９２６１６２号公報
【特許文献３】特開２００４−１９０４４３号公報
【特許文献４】特開平０６−１２９０８３号公報
【０００７】
〔問題点〕
このような従来の技術における装飾建材の施工方法では、特許文献１のような装飾建材を接着だけで取り付ける場合は経年変化により接着性が低下すると強度に不安が生じることになる。特許文献２のような桟木と取付金具とを組合せた取付箇所に装飾建材を引っ掛けて取り付ける場合では、桟木の上端部に設けた係止部が磨耗のため係止状態が悪くなり、緩みや外れを起こすことがある、特許文献３のような取付具を用いて装飾建材を取付ける場合に、取付具の弾性力に抗して装飾建材による引き下ろしの力を作用させて取付具を曲げるときに、取付作業の途中で装飾建材を壊してしまうことが起こるため、取扱いを慎重にせざるを得ない等、種々問題点があった。
【０００８】
また、これらの取付方法では、取付時における作業にも現場作業として各作業者の調整能力に負うところが大きく、熟練度の差あるいは個人差による影響を無視できなくなり、作業計画の実施や施工結果等に安定性を欠くことになり、施工の信頼性を低下させるという問題点があった。
【発明の開示】
【発明が解決しようとする課題】
【０００９】
本発明は、従来の技術における前記問題点に鑑みて成されたものであり、これを解決するため具体的に設定した技術的な課題は、モール部材を壁面に掛け止めまたは突き刺し等により設けることにより取り付けられ、作業の統一性を維持し易くし、施工の均一性を確保し、強度の経年変化による影響を低くし、施工後の長期安定性が得られて信頼性が高くなる装飾建材の施工方法を提供することにある。
【課題を解決するための手段】
【００１０】
本発明における前記課題が効果的に解決される装飾建材の施工方法を特定するために、必要と認める事項の全てが網羅され、具体的に構成された、課題解決手段を以下に示す。
装飾建材の施工方法に係る第１の課題解決手段は、鍔部を建築物の壁面に固着し、上記鍔部から外方に突出する突出部に上端縁が上方に突出した爪部を形成した係止材と、この係止材の側面断面に合わせて形成した側面断面を有する嵌合部を背面側に設けて上記係止材と係合可能に形成したモール部材とを用意し、上記モール部材の背面側に形成した嵌合部を上記係止材に嵌め込み、上記モール部材の嵌合部に上記係止材の突出部を挿入して爪部を掛け止め、上記モール部材の背面を上記壁面に押圧して、上記モール部材を上記係止材に掛け止めるとともに上記モール部材の背面を上記壁面に接着することを特徴とするものである。
【００１１】
同上施工方法に係る第２の課題解決手段は、背面を建築物の壁面に合わせた形状に成形したモール部材と、先端部を上記建築物の壁面に対して斜め下方に向けて打込み上半分を斜め上方に突出させた細棒状係止材とを用意し、上記モール部材の背面に接着剤を塗布しあるいは両面テープを張り付けて接着性を付与し、その接着性を付与した背面を上記細棒状係止材を突出した壁面に向けるとともに斜め下方に向けて押し込むことにより、上記モール部材の背面側に上記細棒状係止材を突き刺し、上記細棒状係止材の傾斜角に従い斜め下方に押し下げて、上記モール部材を上記細棒状係止材に掛け止めるとともに上記モール部材の背面を上記壁面に接着することを特徴とする。
【００１２】
また、同上施工方法に係る第３の課題解決手段は、背面を建築物の壁面に合わせた形状に成形したモール部材と、このモール部材に突き刺す細棒状または薄板状の係止材とこの係止材の基部に上記建築物の壁面に取り付けるための座とを設けた座付き係止材とを用意し、上記モール部材の背面に接着剤を塗布しあるいは両面テープを張り付けて接着性を付与し、その接着性を付与した背面を上記座付き係止材の細棒状または薄板状の係止材を突出した壁面に向けて押し込むことにより、上記モール部材の背面側に上記細棒状または薄板状の係止材を突き刺し、上記モール部材を上記細棒状または薄板状の係止材に掛け止めるとともに上記モール部材の背面を上記壁面に接着することを特徴とする。
【発明の効果】
【００１３】
装飾建材の施工方法に係る第１の課題解決手段では、モール部材の背面側に形成した嵌合部を係止材に嵌め込み、モール部材の嵌合部に係止材の突出部を挿入して爪部を掛け止め、モール部材の背面を壁面に押圧して、モール部材を係止材に掛け止めるとともにモール部材の背面を壁面に接着することができ、壁面への取付作業が、統一性を維持し易くし、施工の均一性を確保し、ハット鋼によりモール部材と壁面との接着部に対する強度の経年変化による影響を低くし、施工後の長期安定性が得られて信頼性を高くすることができる。
【００１４】
同上施工方法に係る第２の課題解決手段では、細棒状係止材を突出した壁面に背面を向けるとともに斜め下方に向けて押し込むことにより、モール部材の背面側に細棒状係止材を突き刺し、細棒状係止材の傾斜角に従い斜めに押し下げて、モール部材を細棒状係止材に掛け止めるとともにモール部材の背面を壁面に接着することができ、壁面への取付作業が、作業そのものを容易にし、統一性を維持し易くし、施工の均一性を確保し、強度の経年変化による影響を低くし、施工後の長期安定性が得られて信頼性を高くすることができる。
【００１５】
また、同上施工方法に係る第３の課題解決手段では、細棒状または薄板状の係止材を立設した座付き係止材を建築物の壁面に取り付け、モール部材を細棒状または薄板状の係止材に押し付けるようにして背面を壁面に密着するまで押し込むと、モール部材の背面に壁面から突出した細棒状または薄板状の係止材が突き刺さり、モール部材を座付き係止材の細棒状または薄板状の係止材に掛け止めることができ、同時にモール部材の背面に設けられた接着剤を壁面に接着することができて、壁面への取付作業が、作業そのものを容易にし、統一性を維持し易くし、施工の均一性を確保し、強度の経年変化による影響を低くし、施工後の長期安定性が得られて信頼性を高くすることができる。
【発明を実施するための最良の形態】
【００１６】
以下、本発明による最良の実施形態を具体的に説明する。
ただし、この実施形態は、発明の趣旨をより良く理解させるため具体的に説明するものであり、特に指定のない限り、発明内容を限定するものではない。
【００１７】
〔第１実施形態の構成〕
装飾建材の施工方法の第１実施形態は、図１に示すように、木製桟木に代えて金属製薄板構造の桟木として形成された係止材３１を壁面１２ａから突設し、モール部材２２を係止材３１に掛け止めて、壁１２にモール部材２２を取り付ける方法である。
【００１８】
図１，２に示すように、係止材３１は、角筒の一端を同じ厚みの板３１ａで閉鎖し、他端を幅広の鍔３１ｂが外周を周設したハット形状に形成された金属製薄板構造の桟木代用品のモール係止部材である。この係止材３１は、大型で重量の重いモール部材または中型のモール部材に使用するものでは、閉鎖された端部の上端には先端に向けて下方に下がる傾斜面を有する爪部３１ｃを角筒の上方に突出させて抜止めとして形成し、この抜止めが形成されている箇所の縦断面形状では、四角い空間の先端側の上端に斜辺を先端側に設けた三角形の空間が形成された形状になっている。鍔３１ｂには釘またはねじ３３を挿通する孔（図示せず）を適当箇所に穿設し、係止材３１は孔に挿通した釘またはねじ３３によって壁１２に固定される。
【００１９】
モール部材２２は、背面側に係止材３１に外嵌する係合用の穴２２ａを設け、この穴２２ａの奥の上部には、係止材３１の爪部３１ｃが係合するときの形状に合わせて縦断面が奥側に斜辺を有する三角形をなす係合穴２２ｂを刻設する。モール部材２２の穴２２ａは、高さが係止材３１の角筒と爪部３１ｃとの合計した高さよりも高く形成し、幅は係止材３１に入る幅を少なくとも有する。このモール部材２２の穴２２ａは、係止材３１が通状の桟木のように横に長く設けられている場合には、モール部材２２の全幅にわたり刻設される溝として形成しても良い。
【００２０】
モール部材２２を建築物の壁１２に取り付けるには、モール部材２２は背面２２ｃの適当箇所に適当量の接着剤（図示せず）を塗布し、係止材３１は釘またはねじ３３によって鍔３１ｂを壁面１２ａに密着させた状態で壁１２に固着し、モール部材２２の穴２２ａを係止材３１に嵌め込み、係止材３１の爪部３１ｃをモール部材２２の穴２２ａの係合穴２２ｂに掛け止め、モール部材２２の背面を壁面１２ａに押圧して、モール部材２２を係止材３１に掛け止めるとともにモール部材２２の背面を壁面１２ａに接着する。
【００２１】
係止材３１に代表されるモール部材２２の係止用突出材は、図３に示すように、爪部３１ｃを有する大型の係止材３１の他に、爪部３４ｃを有する中型の係止材３４と、爪部のない小型の係止材３５と、壁面１２ａからの突出高さが比較的低い薄型の係止材３６と、従来から用いられている木製桟木３７とを使用でき、モール部材２２の形状、大きさ、構造等によって、適宜、使い分けるようにする。
【００２２】
一例として、図４に示すような、５段モールを取り付ける場合について例示する。５段モール２３は縦に５つの部材を重ねた構造のモールで、上から２段目と、最下部とにそれぞれ設けられるモール部材２３ａとモール部材２３ｂとに大型の係止材３１と小型の係止材３５との２つをそれぞれ係合しあるいは嵌め合わせて、５段モール２３の背面に塗布した接着剤と共に重量を支えることにする。
【００２３】
それぞれの部材の取付け手順は、始めに大型の係止材３１と係止する上から２番目に位置させる大型のモール部材２３ａを垂木２４により支えながら壁面１２ａに密着させる。次に小型の係止材３５と係止する最低部のモール部材２３ｂをモール部材２３ａの下側に入るモール部材２３ｄの高さ分の距離をあけて壁面１２ａに密着させ、モール部材２３ａの基部を下側から支持する大型モール部材支持用のモール部材２３ｃをモール部材２３ａの基部と壁面１２ａとにより形成される角部で両方に密着させる。
【００２４】
そして、最下部のモール部材２３ｂの上部とモール部材２３ａとの下部との間にモール部材２３ｄを介装し、モール部材２３ｃの表面側に覆い被せるようにしてモール部材２３ｃと壁面１２ａとに密着させる。最後に、モール部材２３ａの上部に最上部のモール部材２３ｅを載置して壁面１２ａに密着させて、５段モール２３を壁１２に取り付ける。この場合、各モール部材２３ａ〜２３ｅの背面および各モール部材同士の接触面には取付作業の前に接着剤を塗布しておき、壁面に密着させるときに接着剤により各部が接着するように強く押し付けるように組み付ける。
【００２５】
〔第１実施形態の作用効果〕
このように構成した第１実施形態においては、モール部材２２の背面側に設けた穴２２ａを係止材３１に嵌め込み、モール部材２２の穴２２ａに設けた係合穴２２ｂに係止材３１の爪部３１ｃを係合して掛け止め、モール部材２２の背面を壁面１２ａに押圧して、モール部材２２を係止材３１に掛け止めるとともにモール部材２２の背面を壁面１２ａに接着することができ、壁１２への取付作業が、統一性を維持し易くし、施工の均一性を確保し、係止材３１によりモール部材２２と壁面１２ａとの接着部に対する強度の経年変化による影響を低くし、施工後の長期安定性が得られて信頼性を高くすることができる。
【００２６】
また、５段モール２３等のように組立式のモールでは、作業現場において各モール部材を係止しつつ組み立て、しかも壁面に接着しつつ各モール部材同士を接着して、所定の形状に組み立てるとともに壁面に接着することができ、取付作業が容易で、作業の統一性が維持し易く、施工の均一性が確保でき、爪部３１ｃを有する係止材３１を少なくとも１つ用い、他の係止材３５を用いてモールの重量を支えることにより、接着剤に加えられる重量の負担を軽減することができ、接着部に対する強度の経年変化による影響を低くすることができ、施工後の長期安定性が得られて信頼性を高くすることができる。
【００２７】
〔第２実施形態の構成〕
装飾建材の施工方法の第２実施形態は、図５に示すように、モール部材２５を壁１２に突き刺した細い棒状に形成された細棒状係止材３８に掛け止め、壁１２にモール部材２５を取り付ける方法である。
図５，６に示すように、モール部材２５は、表面２５ａを任意の形状に形成し、背面２５ｂを建築物の壁面１２ａに合わせた形状に成形する。ダボピンや頭部を切り落とした釘などの細棒状係止材３８は先端部を壁面１２ａに対して斜め下方に向けて壁１２に打込み、上半分を斜め上方に突出させておく。
【００２８】
モール部材２５を壁１２に取り付けるには、図７に示すように、モール部材２５の背面２５ｂに接着剤１４を塗布しあるいは両面テープ１５を張り付けて背面２５ｂに接着性を付与し、モール部材２５の接着性を付与した背面２５ｂを細棒状係止材３８が突出した壁面１２ａに向けて斜め下方に押し込むことにより、モール部材２５の背面側に細棒状係止材３８が突き刺さり、細棒状係止材３８の傾斜角に従い斜め下方に押し下げて、モール部材２５を細棒状係止材３８に掛け止めるとともにモール部材２５の背面２５ｂを壁面１２ａに接着する。
【００２９】
〔第２実施形態の作用効果〕
このように構成した第２実施形態では、細棒状係止材３８を突出した壁面１２ａにモール部材２５の背面２５ｂを向けて斜め下方に押し込むことにより、モール部材２５の背面側に細棒状係止材３８を突き刺してモール部材２５を細棒状係止材３８に掛け止めるとともにモール部材２５の背面２５ｂを壁面１２ａに接着することができ、壁面１２ａへの取付作業そのものを容易にし、統一性を維持し易くし、施工の均一性を確保し、モール部材２５が細棒状係止材３８に掛け止められているため接着強度の経年変化による影響が低くなり、施工後の長期安定性が得られて信頼性を高くすることができる。
【００３０】
〔第３実施形態の構成〕
装飾建材の施工方法の第３実施形態は、図８に示すように、先端を尖らせた棒または薄板からなる座付き係止材３９を、壁面１２ａから突設し、モール部材２６を座付き係止材３９に掛け止めて、壁１２にモール部材２６を取り付ける方法である。
座付き係止材３９は、先端を尖らせた棒または薄板からなる係止部３９ａと、この係止部３９ａを略垂直に立設して壁１２に取り付けられるようにする座部３９ｂとからなり、座部３９ｂは釘またはねじにより壁１２に取り付ける。座付き係止材３９を壁１２に取り付け、係止部３９ａを壁面１２ａから略垂直に突出させてから、背面に接着剤を塗布したモール部材２６を座付き係止材３９の係止部先端から壁側に向けて押し付け、モール部材２６に座付き係止材３９の係止部３９ａが差し込まれてモール部材２６の背面が壁面２ａに密着するまで押し込むと、モール部材２６が座付き係止材３９に掛け止められるとともに接着剤により壁面に接着される。
【００３１】
図９〜図１１に示すように、座付き係止材３９は、この他に、いろいろな形状に形成することができる。
図９に示す座付き係止材４１は、第２実施形態に示された細棒状係止材３８と同様な釘等の細棒状に形成された係止部４１ａと、この係止部４１ａの基部を矩形の中央部で垂直に立設した座部４１ｂとを備えたもので、座部４１ｂに多数穿設された小孔に釘またはねじ２３を挿通して壁１２に打ち付けまたは捩じ込むことにより座付き係止材４１を壁１２に取り付けて、壁面１２ａから係止部４１ａが垂直に突設するように設ける。
【００３２】
図１０に示す座付き係止材４２は、短冊形の板材の一端を山形にして先端から軸方向に中心部を割り、他端を板材の幅と同程度の長さ位置で直角に曲げて側面形状が鉤型の細長い板状の係止部４２ａと、四角い形状の中央部と一辺側に寄せた位置との２箇所で一辺と平行に直線的に切れ目を入れ、各切れ目の中間部を上方へ押し上げて形成された隙間に、係止部４２ａの基部を折り曲げて形成した部分を挟み込み、挟込部分をかしめて一体化して、係止部４２ａを垂直に立設した座部４２ｂとを備えたもので、係止部４２ａの板面を上下方向に向くようにして座部４２ｂを壁１２に取り付け、壁面１２ａから係止部４２ａが垂直に突設するように設ける。
【００３３】
図１１に示す座付き係止材４３は、幅広の長方形の板材をおよそ３分の一程度の位置で直角に折り曲げ、折り曲げて形作られた板材の長い方の先端を山形にして先端から軸方向に中心部を割り、ペン先のような形状に形成した係止部４３ａと、折り曲げて形作られた板材の短い方に小孔を多数穿設して形成した座部４３ｂとを備えたもので、係止部４３ａの板面を上下方向に向くようにして座部４３ｂを壁１２に取り付け、壁面１２ａから係止部４３ａが垂直に突設するように設ける。
【００３４】
〔第３実施形態の作用効果〕
このように構成した第３実施形態では、先端を尖らせた棒または薄板からなる座付き係止材３９，４１〜４３の係止部３９ａ，４１ａ〜４３ａを、壁面１２ａから略垂直に突設し、モール部材２６を係止部３９ａ，４１ａ〜４３ａの先端側から壁面１２ａに向けて押し込むことにより掛け止めて、壁１２にモール部材２６を取り付けたことにより、モール部材２６の背面側に係止部３９ａ，４１ａ〜４３ａを突き刺してモール部材２６を座付き係止材３９，４１〜４３に掛け止めるとともにモール部材２６の背面２６ｂを壁面１２ａに接着することができ、壁面１２ａへの取付作業そのものを容易にし、統一性を維持し易くし、施工の均一性を確保し、モール部材２６が座付き係止材３９，４１〜４３に掛け止められているため接着強度の経年変化による影響が低くなり、施工後の長期安定性が得られて信頼性を高くすることができる。
【図面の簡単な説明】
【００３５】
【図１】本発明の第１実施形態におけるモール部材の取付状態を示す斜視説明図である。
【図２】本発明の第１実施形態におけるモール部材を係止材に掛け止めた状態を示す縦断面説明図である。
【図３】本発明の第１実施形態における係止材を示す説明図であり、（Ａ）は爪部を有する大型の係止材を示す側面図、（Ｂ）は爪部を有する中型の係止材を示す側面図、（Ｃ）は小型の係止材を示す側面図、（Ｄ）は薄型の係止材を示す側面図、（Ｅ）は木製桟木を示す側面図である。
【図４】本発明の第１実施形態における５段モールの取付方法を示す施工説明図であり、（Ａ）は、爪部を有する大型の係止材に掛け止める大型のモール部材の取付け工程を示す側面説明図、（Ｂ）は最下部のモール部材を小型の係止材に嵌め込むと共に大型の係止材の下面側基部にモール部材を接着する工程を示す側面説明図、（Ｃ）は大型のモール部材と最下部のモール部材との間にモール部材を介装する工程を示す側面説明図、（Ｄ）は最上部のモール部材を大型のモール部材に載置する工程を示す側面説明図である。
【図５】本発明の第２実施形態におけるモール部材の取付状態を示す斜視説明図である。
【図６】本発明の第２実施形態におけるモール部材を細棒状係止材に掛け止める状態を示す施工説明図であり、（Ａ）はモール部材を細棒状係止材に掛け止める直前の状態を示す縦断面説明図、（Ｂ）はモール部材を細棒状係止材に掛け止めた直後の状態を示す縦断面説明図である。
【図７】本発明の第２実施形態におけるモール部材の背面に接着材を設けた状態を示す背面図である。
【図８】本発明の第３実施形態におけるモール部材の取付状態を示す斜視説明図である。
【図９】本発明の第３実施形態における細棒状係止材を示す部品図である。
【図１０】本発明の第３実施形態における薄板状係止材を示す部品図であり、（Ａ）は正面図、（Ｂ）は側面図である。
【図１１】本発明の第３実施形態における幅広の薄板状係止材を示す部品図であり、（Ａ）は正面図、（Ｂ）は側面図である。
【符号の説明】
【００３６】
１２  壁
１２ａ  壁面
１４  接着剤
１５  両面テープ
２２  モール部材
２２ａ  穴
２２ｂ  係合穴
２３  ５段モール
２３ａ，２３ｂ，２３ｃ，２３ｄ，２３ｅ  モール部材
２４  垂木
２５，２６  モール部材
２５ａ  表面
２５ｂ  背面
３１，３４  係止材
３１ａ，３４ａ  板
３１ｂ，３４ｂ  鍔
３１ｃ，３４ｃ  爪部
３３  釘またはねじ
３５，３６  係止材
３５ａ，３６ａ  板
３５ｂ，３６ｂ  鍔
３７  木製桟木
３８  細棒状係止材
３９，４１，４２，４３  座付き係止材
【図１】
2007284967.tif 000003
【図２】
2007284967.tif 000004
【図３】
2007284967.tif 000005
【図４】
2007284967.tif 000006
【図５】
2007284967.tif 000007
【図６】
2007284967.tif 000008
【図７】
2007284967.tif 000009
【図８】
2007284967.tif 000010
【図９】
2007284967.tif 000011
【図１０】
2007284967.tif 000012
【図１１】
2007284967.tif 000013